(57)【要約】【課題】間欠受信している状態において話頭切れなく受信することができ且つ間欠受信していないときには送話者に対して話し始めるタイミングを遅らせることなく通話を可能とする携帯無線機を提供する。【解決手段】送信側に、送信終了から間欠受信へ遷移するまでの所定時間を計時する監視タイマー８と、監視タイマー８に連動する可変型同期引き込み信号生成回路９を設け、可変型同期引き込み信号生成回路９は、監視タイマー８が計時開始または計時終了時に、間欠受信のセービング時間と同期引き込み時間を合わせた長さの同期引き込み信号を出力し、監視タイマー８が計時中には、同期引き込み時間の長さの同期引き込み信号を出力し、出力した同期引き込み信号を、送信部７により、アンテナ共用器２、アンテナ１を介して送信する。【選択図】図１
2008079012.tif 000002
【特許請求の範囲】
【請求項１】
送信側に、送信終了から間欠受信へ遷移するまでの所定時間を計時する監視タイマーと、該監視タイマーに連動する可変型同期引き込み信号生成回路を設け、該可変型同期引き込み信号生成回路は、前記監視タイマーが計時開始または計時終了時に、間欠受信のセービング時間と同期引き込み時間を合わせた長さの同期引き込み信号を出力し、前記監視タイマーが計時中には、同期引き込み時間の長さの同期引き込み信号を出力し、出力した前記同期引き込み信号を送信することを特徴とする携帯無線機。
【発明の詳細な説明】
【技術分野】
【０００１】
本発明は携帯無線機、特に間欠受信のパワーセービング(power saving)を行う相手携帯電話機に対して、自己携帯電話機から送信する同期引き込み信号の制御に関する。
【背景技術】
【０００２】
従来のプレストーク方式による携帯デジタル無線機の構成を図２に示す。アンテナ１で無線周波数信号を受信し、アンテナ共用器２を介し、受信部３で無線周波数信号からベースバンド信号に変換処理し、復調部４でベースバンド信号からｂｉｔデータの復調を行い、制御部５でｂｉｔデータを音声、データに変換出力する。
【０００３】
また、制御部５に入力した音声、データを、図示していないプレストークスイッチの押圧により発生するＰＴＴ信号をトリガとして、変調部６で変調をかけ、送信部７で無線周波数信号に変換し、アンテナ共用器２を介し、アンテナ１より送信する。
【０００４】
プレストーク方式による携帯デジタル無線機の場合、相手携帯デジタル無線機と非同期に送信されるため、会話の始めから正確に音声出力するためには、プレストーク後に、同期をとるため数フレームの同期引き込み信号を送信し、その後に音声、データを送信する構成が必要である。
【０００５】
そのため、プレストークによる携帯デジタル無線機の送信フレーム構成は、図３に示すように、数フレームの同期引き込み信号１１とその後に送信する音声、データ１２から構成される。
【０００６】
また、携帯無線機では、消費電流による発熱における温度上昇及びバッテリー寿命を延ばす目的で消費電力低減対策が必須である。
【０００７】
この消費電力低減対策として、受信していない状態または受信する必要がない状態時に間欠受信のパワーセービング(power saving)を行う。
【０００８】
パワーセービング(power saving)の動作を、図４で説明すると、携帯電話等の基地局から常に電波を受けて通信を行っているシステムでは、待受け時最低限取得する必要があるチャネル（例えば１８フレームからなる１スーパーフレーム中の１フレーム）のみを受信し、それ以外のフレームに対してはパワーダウンしてパワーセービングすることにより、間欠受信用信号を生成し、間欠受信動作を行う。
【０００９】
このような方法を使うと、送受信が不要な待受け状態において最大の消費電力低減が可能になる。
【００１０】
但し、図４に図示のような間欠受信のパワーセービングは、常送している基地局があり、携帯無線機は常に同期を保持している通信システムで可能な方式であり、プレストーク方式による携帯無線機の場合、非同期に送信されるため、同期引き込み時間にかならず数フレーム程度必要となり、パワーセービングしている間に同期引き込み信号がきても受信側では受信できず、話頭切れが発生する。このため、復調可能な全ての無線周波数信号を１００％受信するためには、セービング時間と同期引き込み時間を合わせた長さを有する同期引き込み信号を送信側で送信する必要がある。
【００１１】
なお、パワーセービング（バッテリーセービング）を実現した携帯無線機として、例えば特許文献１が挙げられる。
【００１２】
【特許文献１】特開２００１−１４４６７２号公報
【発明の開示】
【発明が解決しようとする課題】
【００１３】
しかしながら、従来のプレストーク方式の携帯無線機は、この同期引き込み信号が固定長となっているため、間欠受信のセービング時間を短くすると、消費電力を無駄に浪費する時間が多くなり、携帯無線機の温度上昇およびバッテリーの寿命が短くなる。逆に、間欠受信のセービング時間を長くすると、低電力化は有効であるが間欠受信していない状態においても同期引き込み用の信号が長くなり、送話者に対して話し始めるタイミングを遅らせることになり通話として快適な会話がなりたたない。
【００１４】
本発明の目的は、間欠受信している状態において話頭切れなく受信することができ且つ間欠受信していないときには送話者に対して話し始めるタイミングを遅らせることなく通話を可能とする携帯無線機を提供することにある。
【課題を解決するための手段】
【００１５】
本発明は、送信側に、送信終了から間欠受信へ遷移するまでの所定時間を計時する監視タイマーと、該監視タイマーに連動する可変型同期引き込み信号生成回路を設け、該可変型同期引き込み信号生成回路は、前記監視タイマーが計時開始または計時終了時に、間欠受信のセービング時間と同期引き込み時間を合わせた長さの同期引き込み信号を出力し、前記監視タイマーが計時中には、同期引き込み時間の長さの同期引き込み信号を出力し、出力した前記同期引き込み信号を送信することを特徴とする。
【発明の効果】
【００１６】
本発明によれば、間欠受信している状態においても話頭切れなく受信することができ、且つ、間欠受信していない状態では同期引き込み信号を必要な長さ分送る動作であるため、送話者に対して話し始めるタイミングを遅らせることなく最適な通話となり、快適な会話が可能となる。
【００１７】
また、送信/受信していない状態では間欠受信によるセービング動作により消費電力を低減することができる。
【発明を実施するための最良の形態】
【００１８】
本発明による携帯電話機の実施の形態に係るプレストーク方式による携帯デジタル無線機の構成を図１に示す。図１において、送信側に、送信終了から間欠受信へ遷移するまでの所定時間を計時する監視タイマー８と、監視タイマー８に連動する可変型同期引き込み信号生成回路９を設けてなる。その他は図２と同じである。
【００１９】
ここで、可変型同期引き込み信号生成回路９は、監視タイマー８が計時開始または計時終了時に、間欠受信のセービング時間と同期引き込み時間を合わせた長さの同期引き込み信号を出力し、監視タイマー８が計時中には、同期引き込み時間の長さの同期引き込み信号を出力する。
【００２０】
出力した同期引き込み信号は、送信部７により、アンテナ共用器２、アンテナ１を介して送信される。
【００２１】
監視タイマー８は、間欠受信へ遷移する前の場合、自己以外の相手携帯電話機は間欠受信していない状態すなわち連続受信状態とみなし、間欠受信に遷移した場合は自己以外の相手携帯電話機は間欠受信中とみなす。
【００２２】
可変型同期引き込み信号生成回路９は、監視タイマー８が、自己以外の相手携帯無線機が間欠受信中とみなしている場合は、同期引き込み信号として、間欠受信のセービング時間と同期引き込み時間を合わせた長さを出力し、自己以外の相手携帯無線機が間欠受信していない状態すなわち連続受信状態とみなしている場合は、同期引き込み信号として、同期引き込み時間の長さを出力する。
【００２３】
動作は、送信要求がない場合、自己及び相手の全ての携帯無線機は間欠受信動作をしている。
【００２４】
図示していないプレストークスイッチの押圧により発生するＰＴＴ信号により送信要求があると、要求があった例えば自己携帯無線機は間欠受信動作から送信動作に移行する。
【００２５】
この時、この自己携帯無線機は自己以外の相手携帯無線機は間欠受信動作をしているとみなし、間欠受信のセービング時間と同期引き込み時間を合わせた長さの同期引き込み信号を出力する。
【００２６】
そして、出力した同期引き込み信号は、送信部７により、アンテナ共用器２、アンテナ１を介して送信される。
【００２７】
したがって、自己以外の相手携帯無線機は同期を引き込むことができ、話頭が切れることがなく受信可能となる。
【００２８】
また、この時、監視タイマー８は計時を開始する。監視タイマー８は、所定時間を計時中すなわち間欠受信への移行時間に達する前に、送信要求があった場合は、自己以外の相手無線機も間欠受信していないすなわち連続受信状態とみなし、同期引き込み時間分の長さだけの同期引き込み信号を出力する。
【００２９】
そして、出力した同期引き込み信号は、送信部７により、アンテナ共用器２、アンテナ１を介して送信される。
【００３０】
この状態ではセービング時間分の同期引き込み時間がないため、待ち時間のない通話が可能となる。
【００３１】
監視タイマー８は、所定時間を計時終了して間欠受信への移行時間に達した時は、間欠受信のセービング時間と同期引き込み時間を合わせた長さの同期引き込み信号を出力する。
【００３２】
そして、出力した同期引き込み信号は、送信部７により、アンテナ共用器２、アンテナ１を介して送信される。
【００３３】
このことで、自己及び相手の全ての携帯無線機は間欠受信によるセービング動作に移行する。
【００３４】
このように、本実施の形態では、間欠受信している状態においては、間欠受信のセービング時間と同期引き込み時間を合わせた長さの同期引き込み信号を出力し、出力した同期引き込み信号を送信するので、相手携帯無線機は話頭切れなく受信することができ、且つ、間欠受信していない状態においては、同期引き込み時間の長さの同期引き込み信号を出力し、出力した同期引き込み信号を送信するので、相手携帯無線機は、送話者に対して話し始めるタイミングを遅らせることなく最適な通話となり、快適な会話が可能となる。
【００３５】
また、送信/受信していない状態では間欠受信によるセービング動作により消費電力を低減することができる。
【図面の簡単な説明】
【００３６】
【図１】本発明による携帯電話機の実施の形態に係るプレストーク方式による携帯デジタル無線機の構成を示す図である。
【図２】従来のプレストーク方式による携帯デジタル無線機の構成を示す図である。
【図３】プレストークによる携帯デジタル無線機の送信フレーム構成を示す図である。
【図４】パワーセービング(power saving)の動作を示す図である。
【符号の説明】
【００３７】
１：アンテナ、２：アンテナ共用器、３：受信部、４：復調部、５：制御部、６：変調部、７：送信部、８：監視タイマー、９：可変型同期引き込み信号生成回路、１１：同期引き込み信号、１２：音声、データ。
【図１】
2008079012.tif 000003
【図２】
2008079012.tif 000004
【図３】
2008079012.tif 000005
【図４】
2008079012.tif 000006